(57)【要約】  呼吸可能なガスを患者に供給する鼻用アセンブリ(600)は、一体に形成された第1のコネクタ部分(618)を有するフレーム(616)を含む。ノズルアセンブリ(604)は、ガセットまたはベース部分、および一対のノズルを含む。少なくとも1つの吸気導管(606)は、患者の呼吸のために、呼吸可能なガスをフレーム(616)およびノズルアセンブリ(604)内に供給する構造を持つ。一対の第2のコネクタ部分(20,40,614,622,636)は、フレーム(616)の第1のコネクタ部分(618)それぞれに取り外し可能にかつ回転可能に接続され、また、吸気導管(606)それぞれと、例えば直接またはアングルコネクタ(612)を介して連通している。ヘッドギアアセンブリ(602)は、所望のとおり調節された位置でフレーム(616)およびノズルアセンブリ(604)を患者の顔面上で保持するように、一対の第2のコネクタ部分(20,40,614,622,636)および/またはアングルコネクタ(612)に取り外し可能に接続される。
2007532155.tif 000002
【特許請求の範囲】
【請求項１】
呼吸可能なガスを患者に供給する鼻用アセンブリ(600)であって、
本体と、一体に形成された第1のコネクタ部分(618)をそれぞれ含む、前記本体の各側壁面に設けられたサイドフレーム部材とを有するフレーム(616)と、
ガセットまたはベース部分、および一対のノズルを含むノズルアセンブリ(604)であって、使用中に患者の鼻の鼻腔を封止してそれと係合する構造を持つ前記一対のノズルで、前記フレーム(616)の前記本体と連結されるノズルアセンブリ(604)と、
前記患者の呼吸のために、呼吸可能なガスを前記フレーム(616)およびノズルアセンブリ(604)内に供給する構造を持つ、少なくとも1つの吸気導管(606)と、
前記フレームの第1のコネクタ部分(618)それぞれに設けられた一対の第2のコネクタ部分(20,40,614,622,636)であって、少なくとも1つが前記少なくとも1つの吸気導管(606)と連通している第2のコネクタ部分(20,40,614,622,636)と、
所望のとおり調節された位置で前記フレーム(616)および前記ノズルアセンブリ(604)を前記患者の顔面上で保持するように、前記一対の第2のコネクタ部分(20,40,614,622,636)の少なくとも1つに取り外し可能に接続されるヘッドギアアセンブリ(602)と、
を具備してなることを特徴とする鼻用アセンブリ。
【請求項２】
前記フレームが、前記第1および第2のコネクタ部分を取り外すことなく、使用中に前記患者の鼻に対して前記ノズルの位置を調節するように、前記一対の第2のコネクタ部分に対して回転可能となっていることを特徴とする請求項1に記載の鼻用アセンブリ。
【請求項３】
前記一対の第2のコネクタ部分を、前記ヘッドギアアセンブリと分離可能に連結することができることを特徴とする請求項1または請求項2に記載の鼻用アセンブリ。
【請求項４】
前記一対の第2のコネクタ部分が、前記ヘッドギアアセンブリのヨークに設けられた保持部材と係合可能な溝をそれぞれ含むことを特徴とする請求項1ないし請求項3のいずれか一項に記載の鼻用アセンブリ。
【請求項５】
前記保持部材がリング状部材であることを特徴とする請求項4に記載の鼻用アセンブリ。
【請求項６】
前記第2のコネクタ部分それぞれに設けられた、第1の係止部材をそれぞれ含むアングルコネクタをさらに備え、前記ヘッドギアが第2の係止部材を含むことを特徴とする請求項1ないし請求項5のいずれか一項に記載の鼻用アセンブリ。
【請求項７】
前記第2のコネクタ部分がそれぞれ、アングルコネクタと係合する連結具を含むことを特徴とする請求項1ないし請求項6のいずれか一項に記載の鼻用アセンブリ。
【請求項８】
前記連結具がアンダーカットであることを特徴とする請求項7に記載の鼻用アセンブリ。
【請求項９】
前記少なくとも1つの吸気導管が複数のチャネルを含むことを特徴とする請求項1ないし請求項8のいずれか一項に記載の鼻用アセンブリ。
【請求項１０】
前記第2のコネクタ部分それぞれに設けられたアングルコネクタをさらに備え、前記アングルコネクタがそれぞれ、前記吸気導管それぞれの前記チャネルそれぞれと係合する構造を持つ細長いコネクタを含むことを特徴とする請求項9に記載の鼻用アセンブリ。
【請求項１１】
前記細長いコネクタが、接続を容易にするための先細になった構造を有することを特徴とする請求項10に記載の鼻用アセンブリ。
【請求項１２】
前記ヘッドギアアセンブリが、前記第2のコネクタ部分を前記フレーム上で保持する助けとなるようになっていることを特徴とする請求項1ないし請求項11のいずれか一項に記載の鼻用アセンブリ。
【請求項１３】
前記ヘッドギアアセンブリが、ヘッドギアの力を前記フレームに伝達し、それによって前記第2のコネクタ部分が前記フレームから偶発的に外れるのを防ぐ助けとするように、第2のコネクタ部分それぞれと係合する一対の保持部材を含むことを特徴とする請求項1ないし請求項12のいずれか一項に記載の鼻用アセンブリ。
【請求項１４】
前記ヘッドギアアセンブリが、前記第2のコネクタ部分およびそれに関連するアングルコネクタの両方に接続されるようになっていることを特徴とする請求項1ないし請求項13のいずれか一項に記載の鼻用アセンブリ。
【請求項１５】
前記ヘッドギアアセンブリが、管の力を前記ヘッドギアアセンブリまたは前記フレームに伝達して、前記管の力が前記ノズルアセンブリにかかるのを回避する構造を持つことを特徴とする請求項1ないし請求項14のいずれか一項に記載の鼻用アセンブリ。
【請求項１６】
前記ヘッドギアアセンブリが、前記ヘッドギアの力を前記フレームに伝達するように、第2のコネクタ部分および/またはアングルコネクタのそれぞれに係合する一対の保持部材または係止部材を含むことを特徴とする請求項1ないし請求項15のいずれか一項に記載の鼻用アセンブリ。
【請求項１７】
前記ヘッドギアアセンブリが対称的な調節を可能とするようになっていることを特徴とする請求項1ないし請求項16のいずれか一項に記載の鼻用アセンブリ。
【請求項１８】
前記ヘッドギアアセンブリが、ヘッドギアバックルで互いに連結された一対のヘッドギアヨークを含み、前記ヘッドギアバックルが、前記ヘッドギアアセンブリの対称的な調節を可能にする構造を持つことを特徴とする請求項1ないし請求項17のいずれか一項に記載の鼻用アセンブリ。
【請求項１９】
前記ヘッドギアバックルが、前記一対のヘッドギアヨークの1つと取り外し可能にかつ調節可能に連結されるよう構成された第1の係止部分と、前記一対のヘッドギアヨークの他方と取り外し可能にかつ調節可能に連結されるよう構成された第2の係止部分とを含むことを特徴とする請求項18に記載の鼻用アセンブリ。
【請求項２０】
第2のコネクタ部分それぞれが、前記第2のコネクタ部分とアングルコネクタの相対移動を可能にする調節部分を備えて形成されたことを特徴とする請求項1ないし請求項19のいずれか一項に記載の鼻用アセンブリ。
【請求項２１】
前記調節部分が、前記第2のコネクタ部分に柔軟性のある、うねを含むことを特徴とする請求項20に記載の鼻用アセンブリ。
【請求項２２】
前記少なくとも1つの吸気導管を加圧供給源と相互接続する構造を持つ、フロー発生器コネクタをさらに備えることを特徴とする請求項1ないし請求項21のいずれか一項に記載の鼻用アセンブリ。
【請求項２３】
前記フロー発生器コネクタが、前記少なくとも1つの吸気導管と係合する構造を持つ第1の細長いコネクタと、別の前記少なくとも1つの吸気導管と係合する構造を持つ第2の細長いコネクタとを含むことを特徴とする請求項22に記載の鼻用アセンブリ。
【請求項２４】
前記フロー発生器コネクタが、前記第1の細長いコネクタが前記第2の細長いコネクタに対して角度を付けられた、ほぼY字形を有するものであることを特徴とする請求項23に記載の鼻用アセンブリ。
【請求項２５】
前記第1および第2の細長いコネクタが、接続を容易にする先細になった構造を有するものであることを特徴とする請求項23または請求項24に記載の鼻用アセンブリ。
【請求項２６】
前記ノズルアセンブリが前記フレームの前記本体に巻き付くようになっていることを特徴とする請求項1ないし請求項25のいずれか一項に記載の鼻用アセンブリ。
【請求項２７】
前記ノズルアセンブリが前記フレームにクリップで固定されるようになっていることを特徴とする請求項1ないし請求項26のいずれか一項に記載の鼻用アセンブリ。
【請求項２８】
前記ノズルアセンブリが一対の対向する離間した端部を含み、前記端部が前記フレームと前記クリップの間で固定されるようになっていることを特徴とする請求項27に記載の鼻用アセンブリ。
【請求項２９】
前記フレームが使用中に前記患者の上唇から角度を付けて離れるように、前記フレームが前記ノズルまたは前記鼻用アセンブリに固定されるようになっていることを特徴とする請求項1ないし請求項28のいずれか一項に記載の鼻用アセンブリ。
【請求項３０】
前記ノズルアセンブリが、前記ノズルアセンブリの清掃を容易にするように、前記フレームから容易に取り外し可能であるようになっていることを特徴とする請求項1ないし請求項29のいずれか一項に記載の鼻用アセンブリ。
【請求項３１】
前記ノズルアセンブリが清掃のためにアクセス可能であるようになっていることを特徴とする請求項1ないし請求項30のいずれか一項に記載の鼻用アセンブリ。
【請求項３２】
前記ノズルアセンブリが、長手方向の開口部を備えた略管状の構造を有することを特徴とする請求項1ないし請求項31のいずれか一項に記載の鼻用アセンブリ。
【請求項３３】
前記ノズルアセンブリが、製造を容易にするように、長手方向の開口部を備えた略管状の構造を有することを特徴とする請求項1ないし請求項32のいずれか一項に記載の鼻用アセンブリ。
【請求項３４】
前記吸気導管が低インピーダンスを提供するものであることを特徴とする請求項1ないし請求項33のいずれか一項に記載の鼻用アセンブリ。
【請求項３５】
前記吸気導管が、所与の流量に対して約3cmH2O未満のインピーダンスを提供するものであることを特徴とする請求項1ないし請求項34のいずれか一項に記載の鼻用アセンブリ。
【請求項３６】
前記第2のコネクタ部分が可撓性であって、管の抵抗力を抑制するようになっていることを特徴とする請求項1ないし請求項35のいずれか一項に記載の鼻用アセンブリ。
【請求項３７】
前記吸気導管が高さの低い断面形状を有することを特徴とする請求項1ないし請求項36のいずれか一項に記載の鼻用アセンブリ。
【請求項３８】
前記第2のコネクタ部分が気流を妨げることなく可撓性を持つことを特徴とする請求項1ないし請求項37のいずれか一項に記載の鼻用アセンブリ。
【請求項３９】
前記ノズルアセンブリが、患者の隔壁に適応するような輪郭とされたことを特徴とする請求項1ないし請求項38のいずれか一項に記載の鼻用アセンブリ。
【請求項４０】
前記ヘッドギアアセンブリに剛性を付加するために、前記ヘッドギアアセンブリが補強材を含むことを特徴とする請求項1ないし請求項39のいずれか一項に記載の鼻用アセンブリ。
【請求項４１】
前記少なくとも1つの吸気導管が、屈曲および/または閉塞に耐性を持つ管材料で構成されることを特徴とする請求項1ないし請求項40のいずれか一項に記載の鼻用アセンブリ。
【請求項４２】
前記第2のコネクタ部分が、1つの前記第1のコネクタ部分に設けられた封止リングと、別の前記第1のコネクタ部分に設けられたプラグとを含み、前記少なくとも1つの吸気導管が前記封止リングに設けられたことを特徴とする請求項1ないし請求項41のいずれか一項に記載の鼻用アセンブリ。
【請求項４３】
前記プラグおよび前記封止リングが前記ヘッドギアに回転不能に取り付けられることを特徴とする請求項42に記載の鼻用アセンブリ。
【請求項４４】
前記ヘッドギアが、前記プラグおよび前記封止リングの少なくとも1つに対して回転不能に噛合するように配置されたヨークを含むことを特徴とする請求項42または請求項43に記載の鼻用アセンブリ。
【請求項４５】
前記ヘッドギアの一部分に設けられた第1部分と、前記少なくとも1つの吸気導管を受けるように構成された第2部分とを含む、チューブ保持具をさらに備えることを特徴とする請求項1ないし請求項44のいずれか一項に記載の鼻用アセンブリ。
【請求項４６】
前記第2部分が、前記吸気導管の隆起部分を受ける少なくとも1つの溝穴を含むことを特徴とする請求項45に記載の鼻用アセンブリ。
【請求項４７】
前記少なくとも1つの導管が、前記第2のコネクタ部分の1つに回転可能に設けられ、回転が所定の角度範囲に制限されるようになっていることを特徴とする請求項1ないし請求項46のいずれか一項に記載の鼻用アセンブリ。
【請求項４８】
1つの前記第2のコネクタ部分が、前記角度範囲を規定する少なくとも1つの止め具を備えた封止リングであることを特徴とする請求項47に記載の鼻用アセンブリ。
【請求項４９】
前記少なくとも1つの吸気導管が、前記第2のコネクタ部分の1つに設けられたエルボーコネクタを含み、前記エルボーコネクタが、90°を超える角度で互いに離れた第1および第2の脚部を有することを特徴とする請求項1ないし請求項48のいずれか一項に記載の鼻用アセンブリ。
【請求項５０】
前記フレームおよびノズルアセンブリが、使用中に前記ノズルを前記患者に対して調節するように、前記第2のコネクタ部分に対して回転可能であることを特徴とする請求項1ないし請求項49のいずれか一項に記載の鼻用アセンブリ。
【請求項５１】
前記ノズルアセンブリが、視覚的インジケータに隣接して設けられた基準インジケータと選択的に一致させることができる、複数の視覚的インジケータを含むことを特徴とする請求項1ないし請求項50のいずれか一項に記載の鼻用アセンブリ。
【請求項５２】
前記基準インジケータが前記ヘッドギアのヨークに設けられたことを特徴とする請求項51に記載の鼻用アセンブリ。
【請求項５３】
前記フレームの前記一対の第2のコネクタ部分の1つに設けられたプラグをさらに含むことを特徴とする請求項1ないし請求項52のいずれか一項に記載の鼻用アセンブリ。
【請求項５４】
前記プラグが、前記第1および/または第2のコネクタ部分内で前記プラグを組み立てる際に、前記第2のコネクタ部分の端部から離間するような構造を持つ拡大ヘッド部分を含む、第1端部を有することを特徴とする請求項53に記載の鼻用アセンブリ。
【請求項５５】
前記プラグが通気孔部分を含むことを特徴とする請求項53または請求項54に記載の鼻用アセンブリ。
【請求項５６】
前記通気孔が焼結材料を含むことを特徴とする請求項55に記載の鼻用アセンブリ。
【請求項５７】
前記ノズルアセンブリが、大気に向けられた第1端部と前記ノズルアセンブリの内部に向けられた第2端部とを有する、少なくとも1つの通気孔を含み、前記第1および第2端部の間の中央部分が、前記内部に向かって直径が大きくなっている実質的に円錐状の部分を含むことを特徴とする請求項1ないし請求項56のいずれか一項に記載の鼻用アセンブリ。
【請求項５８】
実質的に円筒状の部分が、前記第1端部と前記実質的に円錐状の部分との間に設けられたことを特徴とする請求項57に記載の鼻用アセンブリ。
【請求項５９】
前記実質的に円筒状の部分の長さが、前記実質的に円錐状の部分の長さよりも短いことを特徴とする請求項58に記載の鼻用アセンブリ。
【請求項６０】
前記通気孔の長さが約4〜8mmであることを特徴とする請求項55ないし請求項59のいずれか一項に記載の鼻用アセンブリ。
【請求項６１】
前記長さが約6mmであることを特徴とする請求項60に記載の鼻用アセンブリ。
【請求項６２】
カウンタボアが前記第1端部に隣接して位置付けられたことを特徴とする請求項57ないし請求項59のいずれか一項に記載の鼻用アセンブリ。
【請求項６３】
カウンタボアが、約0.4〜0.6mmの深さおよび約0.1〜0.2mmの内部出口側縁部の曲率半径を有することを特徴とする請求項62に記載の鼻用アセンブリ。
【請求項６４】
前記深さが約0.5mmであり、前記曲率半径が約0.15mmであることを特徴とする請求項63に記載の鼻用アセンブリ。
【請求項６５】
前記通気孔の最小径が約1〜3mmであることを特徴とする請求項55ないし請求項64のいずれか一項に記載の鼻用アセンブリ。
【請求項６６】
前記最小径が約1.65〜1.85mmであることを特徴とする請求項65に記載の鼻用アセンブリ。
【請求項６７】
前記最小径が約1.75mmであることを特徴とする請求項66に記載の鼻用アセンブリ。
【請求項６８】
前記フレームに設けられたバッフルをさらに備えることを特徴とする請求項1ないし請求項67のいずれか一項に記載の鼻用アセンブリ。
【請求項６９】
前記バッフルが、基部と、前記基部から離れる方向に突出した少なくとも1つのアームとを含むことを特徴とする請求項68に記載の鼻用アセンブリ。
【請求項７０】
前記フレームの前記本体が少なくとも1つの通気孔を含むことを特徴とする請求項1ないし請求項69のいずれか一項に記載の鼻用アセンブリ。
【請求項７１】
前記少なくとも1つの通気孔が、大気に向けられた第1端部と前記ノズルアセンブリの内部に向けられた第2端部とを有し、前記第1および第2端部の間の中央部分が、前記第2端部に向かって直径が大きくなっている実質的に円錐状の部分を含むことを特徴とする請求項70に記載の鼻用アセンブリ。
【請求項７２】
前記ノズルアセンブリが少なくとも1つの通気孔を含むことを特徴とする請求項1ないし請求項71のいずれか一項に記載の鼻用アセンブリ。
【請求項７３】
前記フレームの前記一対の第2のコネクタ部分の1つに設けられた、通気孔を含むプラグをさらに備えることを特徴とする請求項1ないし請求項72のいずれか一項に記載の鼻用アセンブリ。
【請求項７４】
前記本体が互いに不均等に離間した複数の通気孔を含むことを特徴とする請求項1ないし請求項73のいずれか一項に記載の鼻用アセンブリ。
【請求項７５】
前記少なくとも1つの通気孔が前記本体の長さに沿って設けられたことを特徴とする請求項70ないし請求項74のいずれか一項に記載の鼻用アセンブリ。
【請求項７６】
前記少なくとも1つの通気孔が前記本体を通って延びる管によって形成されたことを特徴とする請求項70ないし請求項75のいずれか一項に記載の鼻用アセンブリ。
【請求項７７】
呼吸可能なガスを患者に供給する鼻用アセンブリ(600)であって、
本体と前記本体の各側壁面に設けられたサイドフレーム部材とを有するフレーム(616)と、
前記フレーム(616)の前記本体に設けられた患者インタフェースと、
前記患者の呼吸のために、呼吸可能なガスを前記フレーム(616)および患者インタフェースに供給する構造をもつエルボー(612)であって、前記側壁面それぞれに取り外し可能に接続される構造を持つエルボー(612)と、
前記フレーム(616)の前記側壁面それぞれに取り外し可能に接続される構造を持つプラグ(20,40,622,636)と、を備え、
前記プラグ(20,40,622,636)およびエルボー(612)の位置が選択的に交換されるような構造を持つことを特徴とする鼻用アセンブリ。
【請求項７８】
前記側壁面の1つに設けられたプラグをさらに備えることを特徴とする請求項77に記載の鼻用アセンブリ。
【請求項７９】
前記プラグが、前記プラグを前記フレームと組み立てる際に、前記フレームの前記側壁面から離間する構造を持つ拡大ヘッド部分を含む、第1端部を有することを特徴とする請求項78に記載の鼻用アセンブリ。
【請求項８０】
前記プラグが通気孔部分を含むことを特徴とする請求項78または請求項79に記載の鼻用アセンブリ。
【請求項８１】
前記通気孔が、焼結材料、多孔質材料、および/またはメッシュ材料を含み、かつ/または直径約1〜2mmの複数の孔を含むことを特徴とする請求項80に記載の鼻用アセンブリ。
【請求項８２】
前記患者インタフェースが、大気に向けられた第1端部と前記患者インタフェースの内部に向けられた第2端部とを有する、少なくとも1つの通気孔を含み、前記第1および第2端部の間の中央部分が、前記内部に向かって直径が大きくなっている実質的に円錐状の部分を含むことを特徴とする請求項77ないし請求項81のいずれか一項に記載の鼻用アセンブリ。
【請求項８３】
実質的に円筒状の部分が、前記第1端部と前記実質的に円錐状の部分との間に設けられたことを特徴とする請求項82に記載の鼻用アセンブリ。
【請求項８４】
前記実質的に円筒状の部分の長さが、前記実質的に円錐状の部分の長さよりも短いことを特徴とする請求項83に記載の鼻用アセンブリ。
【請求項８５】
前記通気孔の長さが約4〜8mmであることを特徴とする請求項80ないし請求項84のいずれか一項に記載の鼻用アセンブリ。
【請求項８６】
前記長さが約6mmであることを特徴とする請求項85に記載の鼻用アセンブリ。
【請求項８７】
カウンタボアが前記第1端部に隣接して位置付けられたことを特徴とする請求項82ないし請求項86のいずれか一項に記載の鼻用アセンブリ。
【請求項８８】
カウンタボアが、約0.4〜0.6mmの深さおよび約0.1〜0.2mmの内部出口側縁部の曲率半径を有することを特徴とする請求項87に記載の鼻用アセンブリ。
【請求項８９】
前記深さが約0.5mmであり、前記曲率半径が約0.15mmであることを特徴とする請求項88に記載の鼻用アセンブリ。
【請求項９０】
前記通気孔の最小径が約1〜3mmであることを特徴とする請求項80ないし請求項89のいずれか一項に記載の鼻用アセンブリ。
【請求項９１】
前記最小径が約1.65〜1.85mmであることを特徴とする請求項90に記載の鼻用アセンブリ。
【請求項９２】
前記最小径が約1.75mmであることを特徴とする請求項91に記載の鼻用アセンブリ。
【請求項９３】
前記フレームに設けられたバッフルをさらに備えることを特徴とする請求項77ないし請求項92のいずれか一項に記載の鼻用アセンブリ。
【請求項９４】
前記バッフルが、基部と、前記基部から離れる方向に突出した少なくとも1つのアームとを含むことを特徴とする請求項93に記載の鼻用アセンブリ。
【請求項９５】
前記フレームの前記本体が少なくとも1つの通気孔を含むことを特徴とする請求項77ないし請求項94のいずれか一項に記載の鼻用アセンブリ。
【請求項９６】
前記少なくとも1つの通気孔が、大気に向けられた第1端部と前記患者インタフェースの内部に向けられた第2端部とを有し、前記第1および第2端部の間の中央部分が、前記第2端部に向かって直径が大きくなっている実質的に円錐状の部分を含むことを特徴とする請求項95に記載の鼻用アセンブリ。
【請求項９７】
前記患者インタフェースが少なくとも1つの通気孔を含むことを特徴とする請求項77ないし請求項96のいずれか一項に記載の鼻用アセンブリ。
【請求項９８】
1つの前記側壁面に設けられた、通気孔を含むプラグをさらに備えることを特徴とする請求項77ないし請求項97のいずれか一項に記載の鼻用アセンブリ。
【請求項９９】
前記本体が互いに不均等に離間した複数の通気孔を含むことを特徴とする請求項77ないし請求項98のいずれか一項に記載の鼻用アセンブリ。
【請求項１００】
前記少なくとも1つの通気孔が前記本体の長さに沿って設けられたことを特徴とする請求項95に記載の鼻用アセンブリ。
【請求項１０１】
前記少なくとも1つの通気孔が前記本体を通って延びる管によって形成されたことを特徴とする請求項95に記載の鼻用アセンブリ。
【請求項１０２】
大気に向けられるように構成された第1端部(56,656)と、前記第1端部と反対の第2端部(58,658)とを有する少なくとも1つの通気孔(52,619,690)を含み、前記第1および第2端部(56,58,656,658)の間の中央部分(60,660)が、前記第2端部(58,658)に向かって直径が大きくなっている実質的に円錐状の部分を含むことを特徴とする通気アセンブリ。
【請求項１０３】
実質的に円筒状の部分が、前記第1端部と前記実質的に円錐状の部分との間に設けられたことを特徴とする請求項102に記載の通気アセンブリ。
【請求項１０４】
前記実質的に円筒状の部分の長さが、前記実質的に円錐状の部分の長さよりも短いことを特徴とする請求項103に記載の通気アセンブリ。
【請求項１０５】
前記通気孔の長さが約4〜8mmであることを特徴とする請求項102ないし請求項104のいずれか一項に記載の通気アセンブリ。
【請求項１０６】
前記長さが約6mmであることを特徴とする請求項105に記載の通気アセンブリ。
【請求項１０７】
カウンタボアが前記第1端部に隣接して位置付けられたことを特徴とする請求項102ないし請求項106のいずれか一項に記載の通気アセンブリ。
【請求項１０８】
カウンタボアが、約0.4〜0.6mmの深さおよび約0.1〜0.2mmの内部出口側縁部の曲率半径を有することを特徴とする請求項107に記載の通気アセンブリ。
【請求項１０９】
前記深さが約0.5mmであり、前記曲率半径が約0.15mmであることを特徴とする請求項108に記載の通気アセンブリ。
【請求項１１０】
前記通気孔の最小径が約1〜3mmであることを特徴とする請求項102ないし請求項109のいずれか一項に記載の通気アセンブリ。
【請求項１１１】
前記最小径が約1.65〜1.85mmであることを特徴とする請求項110に記載の通気アセンブリ。
【請求項１１２】
前記最小径が約1.75mmであることを特徴とする請求項111に記載の通気アセンブリ。
【請求項１１３】
前記通気孔が互いに不均等に離間していることを特徴とする請求項102ないし請求項112のいずれか一項に記載の通気アセンブリ。
【請求項１１４】
少なくとも部分的にプレナムチャンバを画定するクッションを含む患者インタフェースと、
前記プレナムチャンバからガスを排気する、請求項102ないし請求項113のいずれか一項に記載の通気アセンブリと、を具備してなることを特徴とする鼻マスク。
【請求項１１５】
前記通気アセンブリが、前記クッションに設けられた1つまたは複数の通気開口部を含むことを特徴とする請求項114に記載の鼻マスク。
【請求項１１６】
前記通気アセンブリが、少なくとも部分的に前記クッションを支持するフレームに設けられた1つまたは複数の通気開口部を含むことを特徴とする請求項114に記載の鼻マスク。
【請求項１１７】
呼吸可能なガスを患者に供給する鼻用アセンブリであって、
本体と、一体に形成された第1のコネクタ部分(518)をそれぞれ含む、前記本体の各側壁面に設けられたサイドフレーム部材とを有するフレーム(516)と、
前記フレーム(516)の前記本体に連結された、使用中に前記患者の鼻梁、頬、および唇領域を封止してそれと係合する構造を持つ鼻クッション(501)と、
患者の呼吸のために、呼吸可能なガスを前記フレーム(516)および鼻クッション(501)内に供給する構造を持つ、少なくとも1つの吸気導管と、
前記フレーム(516)の第1のコネクタ部分(518)それぞれに設けられた一対の第2のコネクタ部分(500,506)であって、少なくとも1つが前記少なくとも1つの吸気導管と連通している第2のコネクタ部分(500,506)と、
所望のとおり調節された位置で前記フレーム(516)および前記鼻クッション(501)を前記患者の顔面上で保持するように、前記一対の第2のコネクタ部分(500,506)の少なくとも1つに取り外し可能に接続されるヘッドギアアセンブリ(602)と、
を具備してなることを特徴とする鼻用アセンブリ。
【請求項１１８】
前記一対の第2のコネクタ部分が、前記ヘッドギアアセンブリのヨークに設けられた保持部材と係合可能であることを特徴とする請求項117に記載の鼻用アセンブリ。
【請求項１１９】
前記保持部材がリング状部材であることを特徴とする請求項118に記載の鼻用アセンブリ。
【請求項１２０】
前記ヘッドギアアセンブリが、前記患者の耳に巻き付く側部と、前記患者の鼻の上に置かれる中間部分とを含むことを特徴とする請求項1に記載の鼻用アセンブリ。
【請求項１２１】
前記一対の第2のコネクタ部分が、前記中間部分から延びるヨークに設けられた保持部材と係合可能であることを特徴とする請求項120に記載の鼻用アセンブリ。
【請求項１２２】
前記保持部材がリング状部材であることを特徴とする請求項121に記載の鼻用アセンブリ。
【発明の詳細な説明】
【技術分野】
【０００１】
本発明は、例えば、持続気道陽圧法(CPAP)または非侵襲的陽圧換気法(NPPV)による、睡眠呼吸障害(SDB)の治療に使用される鼻用アセンブリに関する。
【０００２】
本願は、それぞれ参照により全体が本明細書に組み込まれる、2004年4月9日出願の米国仮出願第60/560,610号、および2004年12月2日出願の同第60/632,193号の利益を主張するものである。
【背景技術】
【０００３】
SDBの治療に使用される鼻用アセンブリには、患者の鼻腔に挿入するように設計されているものがある。空気または他の呼吸可能なガスは、ブロワによって供給され、可撓性の導管を伝って鼻用アセンブリに入る。
【０００４】
鼻用アセンブリは、一般に、比較的堅いシェル、例えばフレームと、堅いシェルに取り付けられた、患者の鼻腔に挿入されるような構造を持つ一対のノズル(鼻枕、鼻プロング、カニューレ、または鼻パフの形態であってもよい)とを含む。ノズルは、通常、ヘッドギアアセンブリを用いて適所に保持され、比較的堅いシェルとヘッドギアアセンブリは、何らかの形態のコネクタを用いて接合される。
【０００５】
既知の鼻用アセンブリの1つの形態は特許文献1(Trimble他)に記載されている。Trimbleは、患者の鼻に隣接して着用するよう構成された鼻パフ22を含む鼻パフアセンブリ20と、患者の頭に被せて着用するよう構成されたハーネスアセンブリ24とを開示している。ハーネスアセンブリ24は、パフ22を、患者の鼻腔に隣接し、かつ部分的に鼻腔内で、動作可能に保持するように設計されている。
【０００６】
パフ22は、ほぼY字形の堅い中空のプレナムチャンバ28の形態であり、横方向に離間した一対の鼻孔エレメント30を伴う。エレメント30をプレナムチャンバ28に回転可能に取り付け、かつエレメント30を溝穴内に取り付けて、エレメント30の互いに対する横方向の位置を選択的に決められるようにすることで、鼻孔エレメント30を調節可能にしてもよい。さらに、ハーネスアセンブリ24を調節して、使用中に鼻孔エレメント30の適合および封止を調節するようにしてもよい。すなわち、十分な封止を維持するのに必要な力は、所望の適合を維持するのに必要な力と直接関連する。したがって、鼻用アセンブリの適合の調節または安定性は、封止に直接影響し、それが患者の快適さに悪影響を及ぼす恐れがある。
【０００７】
堅いシェルに取り付けられた鼻枕またはカニューレの他の例が、特許文献2および特許文献3に開示されている。
【０００８】
Viasys製の鼻マスクアセンブリ、すなわちSpiritusは、隣接または横方向に離間した一対の鼻孔エレメントを備えたプレナムチャンバを含む。ハーネスアセンブリがプレナムチャンバと係合されて、使用中の鼻孔エレメントの適合および封止を調節する。Trimbleのものと同様、鼻用アセンブリの適合の調節または安定性は、封止に直接影響し、それが患者の快適さに悪影響を及ぼす恐れがある。
【０００９】
InnoMed製の鼻マスクアセンブリ、すなわちNasal Aireは、隣接または横方向に離間した一対の鼻孔エレメントを備えたプレナムチャンバを含む。鼻孔エレメントは、患者の鼻の粘膜表面または内部通路の中で係合して、鼻マスクアセンブリを患者の顔面上で維持し、かつ封止を提供するような構造を持つ(例えば特許文献4参照)。
【００１０】
Stevenson Industries製の鼻マスクアセンブリ(特許文献5参照)、すなわちCPAP-Proは、歯のアンカー、プラットホーム、および鼻パッドを有する給気管を含み、プラットホームは給気管を支持する。歯のアンカーは、患者の口内で歯の間に係合してアセンブリを適所で保持するように大きさが決められる。
【００１１】
特許文献6は、患者の歯に適合されたマウスピースによって、患者の鼻と係合するように位置付けられたガス供給エレメントを含むデバイスを開示している。
【特許文献１】米国特許第4,782,832号明細書
【特許文献２】米国特許第5,724,965号明細書
【特許文献３】米国特許第6,431,172号明細書
【特許文献４】米国特許第5,533,506号明細書
【特許文献５】米国特許第6,012,455号明細書
【特許文献６】国際公開第00/13751号パンフレット
【発明の開示】
【発明が解決しようとする課題】
【００１２】
上述したもののような既知の鼻用アセンブリの一般的な問題は患者の快適さである。例えば、ヘッドギアアセンブリが、堅いシェルおよびプロングを患者の鼻に向かって引っ張ることによってかかる張力により、プロングが患者の鼻を刺激する傾向がある。
【００１３】
別の問題は、患者の快適さを犠牲にすることなく、患者の鼻腔との封止適合を達成することである。
【００１４】
別の問題は、プロング、例えばその縁部と接触することにより、患者の鼻孔の内部に刺激が生じることである。
【００１５】
別の問題は、プロングから空気が噴射されること(気流の刺激)により、患者の鼻孔の内部に刺激が生じることである。
【００１６】
別の問題は、患者の鼻のさまざまな形状および角度に適応するように、患者の鼻および/または頭に対して鼻用アセンブリを調節することである。
【００１７】
さらに別の問題は、患者の快適さに影響する恐れがある、封止力と安定力の直接的な関連である。
【課題を解決するための手段】
【００１８】
本発明の1つの態様は、患者にさらなる快適さを提供する鼻用アセンブリを対象とする。
【００１９】
本発明の別の態様は、患者の鼻腔を有効に封止する鼻用アセンブリを対象とする。好ましくは、鼻用アセンブリは、鼻孔の外縁部と快適に接触し、鼻腔の敏感な内部通路(例えば、粘膜表面または内部通路)を回避するノズルを含むノズルアセンブリである。
【００２０】
本発明のさらに別の態様は、ヘッドギアアセンブリからの張力に依存せずに、ノズルと患者の鼻腔の間を有効に封止する鼻用アセンブリを対象とする。
【００２１】
本発明のさらに別の態様は、邪魔にならない鼻用アセンブリを対象とする。
【００２２】
本発明のさらに別の態様は、使いやすい鼻用アセンブリを対象とする。
【００２３】
本発明のさらに別の態様は、ヘッドギア調整の設定を維持する鼻用アセンブリを対象とする。
【００２４】
別の態様は、性能を改善するように構成された断面形状を有する通気孔を提供することである。
【００２５】
本発明のさらに別の態様は、封止力と安定力を切り離す助けとなる鼻用アセンブリを対象とする。具体的には、本発明の1つの態様は、鼻用アセンブリを患者の顔面上で保持するように働く安定力が、鼻用アセンブリと患者の顔との封止を維持するように働く封止力と分離されるか、少なくともより良好に区別されるような構造を持つ鼻用アセンブリを対象とする。
【００２６】
本発明のさらに別の態様は、鼻用アセンブリのノズルが、より広範囲で動く鼻用アセンブリを対象とする。
【００２７】
本発明の別の態様は、呼吸可能なガスを患者に供給する鼻用アセンブリを提供する。鼻用アセンブリは、本体と、一体に成形された第1のコネクタ部分をそれぞれ含む、本体の各側壁面に設けられたサイドフレーム部材とを有するフレームを含む。ノズルアセンブリは、ガセットまたはベース部分、および一対のノズルを含む。ノズルアセンブリは、使用中に患者の鼻の鼻腔を封止してそれと係合する構造を持つ一対のノズルで、フレームの本体と連結される。一対の吸気導管は、患者の呼吸のために、呼吸可能なガスをフレームおよびノズルアセンブリ内に供給する構造を持つ。一対の第2のコネクタ部分は、フレームの第1のコネクタ部分それぞれに取り外し可能にかつ回転可能に接続される。第2のコネクタ部分は、アングルコネクタを介して吸気導管と連通している。ヘッドギアアセンブリは、所望のとおり調節された位置でフレームおよびノズルアセンブリを患者の顔面上で保持するように、第2のコネクタ部分およびアングルコネクタの少なくとも1つに取り外し可能に接続される。
【００２８】
さらに別の態様によれば、呼吸可能なガスを患者に供給する鼻用アセンブリは、本体と、本体の各側壁面に設けられたサイドフレーム部材とを有するフレームと、フレームの本体に設けられた患者インタフェースと、患者の呼吸のために、呼吸可能なガスをフレームおよび患者インタフェース内に供給する構造を持つエルボーであって、フレームの各側壁面に取り外し可能に接続されるような構造を持つエルボーと、フレームの各側壁面に取り外し可能に接続されるような構造を持つプラグとを備える。プラグおよびエルボーの位置は選択的に置き換えられてもよい。
【００２９】
さらに別の態様は、フレームに設けられたバッフルを含む鼻用アセンブリを提供する。
【００３０】
本発明のさらに別の態様は、呼気ガスを排出できるようにする、フレームに設けられた通気孔を含む鼻用アセンブリを提供することである。
【００３１】
本発明の他の態様、特徴および利点は、以下の詳細な説明を添付図面と併せ読むことで明らかになるであろう。添付図面は、本開示の一部であり、例証として本発明の原理を示す。
【発明を実施するための最良の形態】
【００３２】
添付図面は、本発明のさまざまな実施形態についての理解を容易にするものである。
【００３３】
以下に、図示される本発明のいくつかの実施形態を記載する。図示される実施形態はそれぞれ、他の実施形態とともに、かつ/または他の実施形態で使用されてもよい特徴、あるいは、当業者には明白であろう、米国出願第10/781,929号に記載の実施形態および/または構成要素とともに使用されてもよい特徴を含む。
【００３４】
図1〜図13には本発明の別の好ましい実施形態を示す。図1に示すように、マスクアセンブリ600は、ヘッドギア602およびクッションアセンブリ604を含む。ヘッドギア602は、患者の頭の頭頂部を捕捉するように設計される。ストラップの張力は、緩んだタブ603を頭の頂部で両方向に引っ張ることにより調節することができる。引っ張る方向は、ノズルアセンブリが患者に及ぼす力とは一致しない。したがって患者は、ストラップを調節する力からさらに隔離される。ヨークは側面に安定性を提供する。ヨーク608は、ヘッドギアの基本形状の少なくとも一部分を保持し、それによってヘッドギアの着用が容易になる。ヘッドギアの調節はすべて、頭の後部または頂部で行うことができるので、ヘッドギアは、必ずしも顔の正面に対する調整性を含まなくてもよい。
【００３５】
図1の実施形態では、クッションアセンブリ604の一端にはプラグ622が設けられ、他端には旋回エルボー612が設けられる。旋回エルボー612とプラグ622の位置は、好みに応じて、例えば患者の通常の就寝姿勢に応じて交換されてもよい。空気供給管606は、旋回エルボー612に接合される。空気供給管606は、旋回コネクタ607を含んでもよく、また、旋回コネクタをやはり備えてもよい端部609を含む。端部609は加圧ガス源を備えている。
【００３６】
図1に示すように、エルボー612は、クッションアセンブリ604から約120°の角度に曲げられる。これは、管を視線から離れた状態に保ち、圧力降下を最小限に抑え、かつ管の屈曲点をできるだけ顔に近づけて維持する助けとなる。しかし、例えば図2および図3に示すように、エルボーは一般的な90°の角度に曲げられてもよい。
【００３７】
図2は、図1に示すマスクアセンブリ600の概略斜視図であるが、ストラップ、例えば904などを示さず、ヘッドギア602のヨーク608のみを示している。ヨーク608は、ヨークリング610を含んでもよい。図2に示すように、クッションアセンブリは、患者に最も良好に適合する位置まで、ヘッドギアに対して調節可能に回転されてもよい。図2では、ヘッドギアのヨーク608のリング610は、位置合わせマーカー611aを含み、クッションは、マーカー611aと選択的に揃えることができる複数の位置合わせマーカー611bを含む。
【００３８】
図3は、クッションアセンブリ604の一部分の断面図である。具体的には、クッションアセンブリ604は、クッション617を支持するフレーム616を含む。フレーム616は、フレーム616および/またはクッション617の各端部に設けられた第1のコネクタ部分618を含む。第1のコネクタ部分618はそれぞれ、封止リング614を備えるか、または封止リング614に設けられる。封止リングおよびプラグは両方とも、第1のコネクタ部分618に接続されるか、または別の方法でそこに設けられる、第2のコネクタ部分の例である。図3から分かるように、マスクアセンブリの左側はプラグ622を含み、マスクアセンブリの右側は旋回エルボー612を含んでおり、すなわち、図1および図2に示すのと逆の配置の図である。
【００３９】
図3は、クッション617が、ノイズを減少するようにそれぞれ設計されている複数の通気開口619を含むことを示す。2つの可能な開口の断面形状の断面図を、図4および図5に示す。図5では、端部617aは、ノイズを作り出すあらゆる潜在的なばり(すなわち成形シーム)を、通気孔のボアを通る主要空気経路からずらす。換言すると、成形シームは、潜在的にノイズを作り出す可能性のある位置から、ノイズを作り出す可能性の低い位置に移動させられる。
【００４０】
図6は、封止リング614、第1のコネクタ部分618、およびプラグ622の間の相互作用を示す部分断面図である。具体的には、封止リング614は、第1の突起624および第2の突起626を備えてもよい。第1の突起624は、封止および/または係止のため、第1のコネクタ部分618内に設けられた溝618aと相互作用してもよい。第2の突起626は、封止および/または係止のため、プラグ622内に設けられた溝628と相互作用してもよい。図6に示すように、各封止リング614は、ヨーク608のリング610のそれぞれ1つを受ける溝630を含む。図6ではヨーク608は図示しない。
【００４１】
図7は、図3のマスクアセンブリ600の右側の拡大部分断面図である。旋回エルボー612の第1端部612aは、第1のコネクタ部分618に挿入され、その中に受け容れられる。第1端部612aは、旋回エルボー612がアセンブリから偶発的に外れるのを防ぐ拡大ヘッド部分を含んでいてもよい。前側端部612aは、拡大ヘッド部分が弾力的に屈曲することによって挿入時にその直径を縮小できるように、少なくとも1つの溝穴613を含んでいてもよい。好ましくは、複数のそのような溝穴、例えば4つの溝穴がある。上述したように、封止リング614は、第1の突起624および第2の突起626を含んでもよい。この場合、第2の突起626は、摩擦によって旋回エルボー612の外周と相互作用し、封止を提供してもよい。さらに、旋回エルボー612は、第2の突起626を受ける溝または他の構造を備えていてもよい。
【００４２】
図7はまた、旋回エルボー612および封止リング614が旋回止め631を含んでいてもよいことを概略的に示す。例えば、旋回止め631は、ヨーク608の一部として形成されてもよい。
【００４３】
別の方法としてまたはそれに加えて、図8に示すように、旋回エルボー612は、突起634を含むリング633を備えていてもよい。封止リング614は、旋回止め632を含むように変更されてもよい。したがって、突起634は、突起634が旋回止め632に当たるまで、旋回エルボー612とともに回転してもよい。その結果、空気供給管606の動きを、所定の動作範囲、例えば約220°〜300°、好ましくは250°〜270°に制限することができ、それにより、空気供給管と患者の望ましくない接触が最小限に抑えられるか、または回避される。
【００４４】
図9は、フレーム、第1のコネクタ部分618、ヨーク608、封止リング614、およびプラグ622のアセンブリの部分断面図である。図9は、図1に示すようなクッションアセンブリ604の右側に挿入されるプラグ622を示す。
【００４５】
図10は、プラグおよび封止リングが単一の一体になった部片から形成される、本発明の代替実施形態を示す。図10に示すように、封止リング636は、ヨーク608の輪郭にほぼ沿ったフランジ部分638を含む。これは、封止リング614およびヨーク608が互いに密接して位置付けられている、図3の断面図に最も良好に示される。
【００４６】
これらおよび他の図示される実施形態は、空気供給管606および/または旋回エルボー612の、クッションアセンブリ604からの切り離しを改善する。それに加えて、これらおよび他の実施形態は、クッションアセンブリ604の上側、下側、左側、または右側のいずれかであることができる、管の経路指定を選択できるようにする。このように、これらの実施形態は、より目立たずかつ非常に軽量であり、また部品が比較的少なく、そのため、製造、組立、および清掃が容易であることは明らかである。
【００４７】
旋回エルボー612は、簡易脱着機構(図示なし)を備えていてもよい。旋回エルボー612は、図7に示すように、マスクフレーム616に収まってそこに嵌合することができる。この構造により、規定の角度範囲の間で、フレーム616内で自由に旋回させることができ、それによって、管が頭と枕に対して不快な位置に入り込まないことを確実なものとする。
【００４８】
封止リング614は、エルボースイベル612の幾何学形状と連携するような構造を持つ。それに加えて、封止リング614は、ヨーク608のリング610に接続されてもよい。封止リング614は、例えば一体成形によって、リング610に永久的に接続されてもよい。例えば、図7の旋回止め631は、リング610の一部として形成されてもよい。フレーム616の各側面の第1のコネクタ部分618は、封止リング614に対して回転し、それによってクッションアセンブリ604の位置を決めてもよい。封止リング614は、好ましくは摩擦を最小限に抑えて旋回エルボー612を封止する。各封止リング614は、プラグ622または旋回エルボー612のいずれかを収容してもよい。封止リング614は、患者、特に手先の器用さが損なわれた患者が十分に扱える大きさである。
【００４９】
プラグ622は、封止リング614に圧入されてもよい。プラグ622は、フレームに圧入されるように設計することもできる。プラグ622は、硬質ポリマー、例えばポリプロピレンから作られてもよい。凹部(図示なし)が、プラグ622を取り外すために設けられてもよい。プラグは、空気供給管と反対側で、フレームおよびクッションアセンブリを封止するように機能する。プラグ622は、患者が、手先の器用さが損なわれていても十分に扱うことができる大きさである。
【００５０】
管材料606は、旋回エルボー612の端部に永久的に取り付けられてもよい。しかし、押し込み式摩擦接続が適切な場合もある。管の長さは、例えば、200mm〜400mm、好ましくは250〜350mmであってもよく、または、患者の顔の邪魔にならない他の任意の長さであってもよい。
【００５１】
図7および図8にそれぞれ示すように、ヨーク608および封止リング614は、第1のコネクタ部分618に対する旋回エルボー612の角運動または回転運動を限定する構造を備えていてもよい。
【００５２】
さらに、ヘッドギアおよび/またはヨークは、管の位置を制御する管保持機構を備えていてもよい。例えば、単純なVELCRO(登録商標)ストラップをヘッドギアの一部に沿って設けて、空気供給管の動きを抑制してもよい。
【００５３】
図11および図12に示す実施例では、管保持具900は、ヘッドギアのストラップの1つに接続または取り付けられる第1部分902を含む。例えば、第1部分902は、図1に示すヘッドギアストラップの一部分904に取り付けられるループ形状とすることができる。取り付けは、ヘッドギアストラップ904を第1部分902に通し、次にヘッドギアストラップ904をヘッドギアバックル906に通すことによって行うことができる。保持具900は、第1部分902に設けられるかまたは取り付けられた第2部分908を含む。第2部分908は、第2部分908の両端部912の間に形成される間隙910を備えて、図11に示す形状を保つ弾性プラスチックで作られていてもよい。間隙910は、高い信頼性で管606を保持するように、空気供給管606の直径よりも小さくなるように大きさが決められる。あるいは、第2部分908は、端部912が噛合するフックおよびループを含む、VELCRO(登録商標)ループとすることができる。図11および図12に示すように、第2部分は、空気供給管606の隆起916(図1)を受ける1つまたは複数の溝穴914を含み、それによって管606が軸方向に滑動しないようにしてもよい。この構成により、管606を、患者の頭上の位置で高い信頼性で保持することができる。
【００５４】
図13は、管保持具の平面図を示し、図中、類似の参照番号は類似の部品を示す。図13では、管保持具の例示的な寸法が示される。これらの寸法は単なる実施例に過ぎず、寸法は、図に示す数値の約±20％まで変更できることに留意されたい。図11〜図13の実施形態では、第2部分908のみで管をヘッドギアに固着することができるので、第1部分902は任意のものである。
【００５５】
図14〜図18は、本発明のさらに別の実施形態による保持具10を示す。保持具10は、図14に示すように、本体12およびタブ14を含む。図15に示すように、タブ14は表面16上にフックタイプの締着具を含み、本体は表面18上にループタイプの締着具を含む。
【００５６】
図16〜図18は、サンプル患者の頭への保持具10の位置付けを示す。図16〜図18から分かるように、保持具10は、患者の頭の周囲に空気供給管606を案内するために設けられる。保持具10は、頭部ストラップ904の一部分に係合し、次に、表面16および18の上のフックループ式締着具を係合して、空気供給管606に巻き付けられる。
【００５７】
保持具12の本体12は、Breath-O-prene(商標)などの任意の適切な材料で形成することができる。Breath-O-prene(商標)は、所望するのであればその裏面に布地の層を備えて、快適さを付加してもよい。保持具10を構成するのに用いられる材料はすべて、Accumed Technologies, Inc.から入手可能である。
【００５８】
上述し、また後述する鼻用アセンブリは、いくつかの利点を有する。例えば、鼻用アセンブリは、全体の大きさが小さくかつ軽量であるため邪魔にならない。鼻用アセンブリは、患者の鼻にかかる力が最小限なので、高水準の快適さを提供し、また、ブリッジとの接触をなくすことができる。鼻用アセンブリは、使用が簡単であり、また部品および調節が最小限で済み、例えば、吸気導管は、患者の頭の上に上向きに、または患者のあごの下に下向きに延びるように容易に調節することができる。加圧供給源は、ヘッドギアの設定を変更することなく、容易にコネクタに接続し、またコネクタから分離することができる。さらに、鼻用アセンブリにより、広範囲の患者に適応するように、ノズルの動作範囲を大きくすることができる。すなわち、フレームをヘッドギアアセンブリに対して回転させることにより、ノズルを、患者の顔に対して回転させることができる。さらに、顔との接触範囲が小さくなっても、ストラップの張力を高くする必要がない。ヘッドギアは安定性を提供し、例えば、ヨークは、顔の上でのマスクアセンブリの位置を維持する助けとなる。ヘッドギアの調節は、ストラップを締めるのに必要な力が患者の顔にかからないように設計され、例えば、ストラップは、互いに反作用するように頭の上で反対方向に引っ張ることができる。性能と快適さの均衡を見つけることは比較的容易である。それに加えて、マスクアセンブリの重量、ノイズレベル、および/または部品の数が低減される。
【００５９】
本発明の好ましい実施形態のさまざまな態様の追加の図面および記述を含む追加物が、2003年12月16日出願の米国仮出願第60/529,696号に含まれており、その全体を参照により本明細書に組み込む。番号を付けた図面または追加物のいずれの図面も寸法を含むという限りにおいて、それらの寸法は単に例示のためのものであり、本開示の範囲から逸脱することなく変更することができる。
【００６０】
図19は、本発明の別の実施形態の部分分解組立図を示す。ヨーク608は、溝穴630に隣接するか、またはその一部として形成された、対応する拡張部分630aと係合するための、拡張部分608aを含む。それに加えて、ヨーク608は、封止リング614の耳638を受けるための凹部608bを含む。さらなる一実施形態では、ヨーク608および封止リング614は一体に形成されてもよい。さらに、ヨークおよびヘッドギアは、縫合または他の締着具を用いる代わりに、一体に形成することができる。図20から分かるように、ヨーク608および封止リング614は、例えば、肩部621によってスナップ嵌めすることができる。この構造により、ヨークおよびリングは、互いに回転しないようにされる。図20はまた、患者との良好な適合を可能にする、ヨーク変曲点Pの一般的な位置を示す。
【００６１】
図21〜図31は、図19および図20に示す実施形態のさらなる図を示す。この構成の別の態様では、ヨーク608のリング610は、ヨーク608の本体609に対して角度がずれている。図21を図3と比較すると、例えば、図21の本体609はねじれている。例えば、図21の前側609aは、図21の後側609bに比べて横方向外側に位置付けられている。この構造により、ヨーク608の下側部分が患者の顔に向かって偏向されるので、ヨークは、より近接して患者の顔の輪郭に沿う。
【００６２】
図32〜図35は、本発明のさらなる一実施形態を示す。この実施形態は、図19〜図31に示しかつ記載したものに類似する。しかし、2つの主な違いがある。第1に、エルボー612は、封止リング614内で360°自由に回転することができる。図33の部分分解組立図に示すように、図19に示すものと比べると、封止リング614は止め具632を含まず、またエルボー612は突起634を含まない。
【００６３】
第2に、図34に示すように、封止リング614は、選択的に取り外し可能でかつ挿入可能なキャップ614Aを含む。換言すれば、図9のプラグ622が1つではなく2つの部品で作られる。キャップ614Aはさらに、クッションに設けられた通気孔の代わりに、またはそれに追加して、通気孔を含むか、または通気孔であってもよい。例えば、キャップ614Aの外側表面の少なくとも一部分は、吐き出されたCO2を排出できるような構造を持つことができる。参照により全体が本明細書に組み込まれる米国特許第6,581,594号明細書に記載されるように、外側表面は、多孔質表面、または複数の孔を有する表面を含むことができる。外側表面は、比較的ノイズのないやり方でCO2を排気する助けとなるように、メッシュ材料を含むこともできる。図35は、キャップ614Aの部分分解組立図を示す。ノズルアセンブリの両側の封止リング614は同一なので、患者がエルボー612を左側または右側のどちらに回すかを選択することによって、キャップ614Aおよびエルボー612を取り外して交換することができる。これは、マスクアセンブリが患者に使用されている間に行うことができる。さらに、患者が動きやすくなるように、エルボー612は取り外すことができる。
【００６４】
図36〜図41は、本発明のさらに別の実施形態によるプラグ20を示す。プラグ20は、図35に示す封止部614などの封止部と協働するためのものである。プラグ20は、拡大ヘッド部分を含む第1端部22と第2端部24とを含む。第1端部22には、第1端部22と第2端部24の間にある管20の中央部分に関して肩部28を形成する、拡大した円筒状部分26が隣接している。第2端部24は、わずかに拡大したリング状部分30を含む。プラグ20は、1つの、好ましくは一対の鍵形状の開口32を含む。プラグ20は、ポリプロピレン、例えばBorealis(商標)、またはポリエステルで作られてもよい。開口32の形状により、プラグ20が適所にあるとき、その保持が改善され、かつプラグ20が取り外されるとき、それを取り外す力が改善される(図36〜図40参照)。プラグ20は、組み立てられた位置で図17に示される。
【００６５】
図41は、ノズルアセンブリ604に対して適所にあるプラグ20の部分断面図を示す。図に示すように、拡大部分30は、第1のコネクタ部分618に挿入される。挿入プロセスの間、拡大部分30が第1のコネクタ部分618の内側縁部619を越えるまで、第2端部24は、(開口32によって)放射方向にわずかに圧縮される。内側縁部619に達すると、拡大部分30は外向きに緩み、それによってプラグをノズルアセンブリ604に対して固定する。その位置では、封止リング614の封止部分626が、円筒状部分26の外側表面に対して気密封止を形成する。それに加えて、肩部28は、第1のコネクタ部分618の端部621に当接する。このように、第1端部22の拡大ヘッドは、封止リング614の端部からわずかに離間した距離dだけ延びる。例えば、距離dは、約1〜10mm以上、好ましくは約3〜5mmである。したがって、患者または内科医は、例えば、臨床医または患者の好みに応じてプラグ20および旋回エルボー612を交換する場合に、第1端部22の拡大ヘッド部分を容易に把持し、それによってプラグ20を取り外すことができる。図41に示すように、拡大ヘッドは凹面の外側表面を有してもよい。
【００６６】
図42は、本発明のさらに別の実施形態によるプラグ40を示す。図42では、プラグ40は、例えば図36〜図41の実施形態に関して上述したように、ノズルアセンブリ604の一方の側に挿入するためのものである。プラグ40は第1端部42および第2端部44を含む。第1端部42は、ノズルアセンブリ604内に挿入するためのものである。第2端部44は、呼気ガスを通すことができるようにする、通気孔46を備えることを意図する。この実施形態では、通気孔46は焼結材料で作られてもよい。好ましくは、焼結材料は疎水性であり、また、比較的ノイズの少ないやり方で、呼気ガスを排出できるようにする。好ましい一実施形態では、通気孔は、ノズルアセンブリ604から離れる方向に過度に延びず、すなわち、高さの低い横方向の断面形状を有する。したがって通気孔46は、封止リング614および/またはフレーム616の第1のコネクタ部分の中に収まるように、大きさを決めることができる。
【００６７】
図43および図44は、本発明のさらに別の実施形態によるクッション50を示す。クッション50は、クッション50によって形成されたプレナムチャンバ内部から呼気ガスを通すことができるように、1つの、好ましくは複数の通気孔52を含む。この実施例では、クッション50は6つの通気孔52を含む。図44は、図43の断面44-44に沿った断面図である。各通気孔52は、大気に向けられた第1端部56と、プレナムチャンバの内部に向けられた第2端部58とを含む。中央部分60は、第1端部56と第2端部58の間に設けられる。好ましい形態では、中央部分60は、実質的に円錐状の区間を含むが、他の断面積および断面形状も可能である。通気孔52は、約4〜8mm以上、好ましくは約6mmの長さを有する。図45Bの従来技術に比べて増大されたこの長さにより、より多くの層流が作られる。それに加えて、中央部分60の円錐形状によって、工具による細工と、工具からのシリコーン部分の取り外しとがより容易になる。円錐状の断面形状はまた、呼気ガスの排出時における乱流を減少させるとも考えられる。
【００６８】
第1端部56は、好ましくはカウンタボア62を含む。この実施例では、カウンタボアは、0.4〜0.6mmの範囲あるいはそれ以外、好ましくは約0.5mmの深さを有する。直径は、2.5〜5mm、好ましくは3〜4mmである。カウンタボア62は、約0.1〜0.2mm以上、好ましくは約0.15mmの曲率内半径を有する。このように、空気経路から、ばりがある点を減らすか、またはなくし、それによって著しいノイズが生じるのを防ぐことが可能と考えられる。シリコーンのモールド成形により、薄い縁部に、ばりが生じる場合がある。したがって、半径は、ばりを防ぐ助けとなる。しかし、大き過ぎる半径は望ましくないノイズにつながる場合がある。カウンタボア62は、例えば圧縮成形プロセスにおいて、製造を容易にするために設けられてもよい。
【００６９】
部分64は、カウンタボア62に隣接して設けられる。部分64は、好ましくは、円筒状の断面の形状、すなわち実質的に直線の断面形状を有するべきであり、円錐状の中央部分60とカウンタボア62の間の遷移部を形成する。形成された部分64は、約0.4〜0.8mm以上、好ましくは約0.6mmの長さを有するべきである。このように、フローのための孔径の大きさは、容易に制御することができる。最小の孔径は、例えば、約1〜3mmの範囲であってもよいが、好ましくは約1.65〜1.85mm、また好ましくは約1.75mmである。円錐状の区画内部の直径はより大きくてもよく、例えば、約3〜4mmの範囲あるいはそれ以外、好ましくは約3.0〜3.6mm、または約3.3mmである。
【００７０】
図45Aおよび図45C〜図45Hは、通気孔52の大きさおよび形状の追加の代替例の概略を示す。これらの図面では、部分的な長方形のサンプル部分が、いくつかの図により示される。左から右の順に、サンプル部分の図は、例示的な寸法を有する各通気孔の断面、大気側からの図、患者インタフェースの本体の相対厚さを示す側面図、患者インタフェースの内部からの図、および寸法を有さない断面図を含む。これらの例示的な通気孔は、通気孔挿入部、空気供給管、管入口、例えば旋回エルボー、および/または、ポリカーボネートなどのより剛性のある材料で作られたマスクフレームの中に設けることもできることに留意されたい。このように、これらの通気孔の断面形状は、シリコーン材料とともに、または患者インタフェース自体の上で使用することに制限されない。さらに、孔の数および各断面形状のさまざまな特徴は、多数のやり方で組み合わせることができ、そのそれぞれは本開示の範囲内にある。
【００７１】
図45Aおよび図45C〜図45Hに示す寸法は例示的なものであり、適用可能なノイズ要件、通気孔の数(この実施例では6つ)、および/またはフロー要件などに応じて変更されてもよい。例えば、最小径は、約1.0mmあるいはそれ以下から3mmあるいはそれ以上までの範囲であるが、好ましい実施例は図45Aおよび図45C〜図45Hに示される。図45Bは、先行技術で使用される通気孔を表す。図45Gに示す実施形態は、図44に示すものと類似する。図45Gは、図44に示す通気孔52を示す。図45Eは、図45Gに類似するが、図44に示す部分64のような、実質的に円筒状の部分を含まない。部分64は、図45Cおよび図45Fを比較すると分かるように、さまざまな長さにすることができる。
【００７２】
図46〜図48は、本発明の別の実施形態によるバッフル70を示す。バッフル70は、ノズルアセンブリのフレーム616と関連して示される。フレーム616は、上述したフレームに類似する。図46の斜視図に示すバッフル70は、図48の立面図にも示される。このバッフルは、図47に示すアーム74よりも長い一対のアーム72を含む。バッフル70は、マスク内に追加的な乱流を作ることによって周期的なノイズを低減する助けとなり、さらに、通気孔の出口を空気入口から少なくとも部分的に分離する助けにもなり、このことは、ノイズとCO2の最小限化の両方に有益であり得る。バッフル70は、アーム72および74を支持するベースプレート76を含む。ベースプレート76は、フレーム616の内側部分に接続されるか、または別の方法でそこに設けられる。例えば、図46に示すように、ベースプレート76は、フレーム616の一部として設けられる補完的に成形された突起を受けるための、開口78を含んでもよい。
【００７３】
図49〜図51は、さらに別の実施形態によるエルボー612を示す。図114に示すエルボー612と比べて、図49〜図51のエルボー612は、1つの、好ましくは一対の鍵形状の開口613を含む。エルボーは、ポリプロピレン、例えば「Borealis」、またはポリエステルで作られてもよい。開口の形状により、エルボーが適所にあるとき、その保持が改善され、かつエルボーが取り外されるとき、それを取り外す力が改善される。
【００７４】
図52〜図54は、別の実施形態によるフレーム616を示す。フレーム616は、上述したフレームと実質的に類似する。対照的に、フレーム616は、呼気ガスを排出できるような構造を持つ通気孔625を含む。通気孔625は、クッションおよび/またはプラグに設けられた通気孔に代わるものであっても、またはそれを補完するものであってもよい。
【００７５】
例えば、フレーム616は、本体627と、本体627の各側壁面に設けられたサイドフレーム部材629とを含む。各サイドフレーム部材629は、一体に形成された第1のコネクタ部分618を含む。図に示すように、本体627は、呼気ガスが通ることができるようにするための、1つの、好ましくは複数の通気開口690の形態の通気孔625を含む。図54に最も良く示すように、各通気開口690は、本体627を通って延びる別個の管によって形成されてもよい。好ましくは、通気開口690は、例えばスルーホールのように本体627内に一体に形成される。しかし通気開口690は、他の任意の適切なやり方で本体627内に形成されてもよい。
【００７６】
図示される実施形態では、フレーム616は5つの通気開口690を含む。しかし、フレーム616は、任意の適切な数の通気開口690を有してもよい。さらに、通気開口690は、任意の適切なやり方で、例えば均等にまたは不均等に互いに離間していてもよい。
【００７７】
図54は、通気開口690の可能な断面形状を示す。図に示すように、各通気開口690は、大気に向けられた第1端部656と、クッションによって形成されたプレナムチャンバの内部に向けられた第2端部658とを含む。中央部分660は、第1端部656と第2端部658の間に設けられる。図示される実施形態では、中央部分660は、第2端部658に向かって直径が大きくなっている、実質的に円錐状の形状を含む。この構成は、呼気ガスを排出する際の乱流を減らす助けとなる。しかし、円錐形状は、任意の適切な大きさおよび変化する直径を有していてもよい。さらに、中央部分660は他の任意の適切な形状を有していてもよい。例えば、通気開口690は、図45Aおよび図45C〜図45Hに示す通気孔のような大きさおよび形状を有していてもよい。さらに、通気開口690の構成、寸法、および数は、例えば所望のノイズ要件および/またはフロー要件を提供するために、任意の適切なやり方で変更されてもよい。
【００７８】
上述したフレームと同様に、フレーム616は、実質的に剛性のある材料、例えばプラスチックすなわちポリカーボネートで形成される。剛性の高い構成によって、(通気開口の粗い縁部、ばり、または損傷のない)一定した通気孔の形状および寸法で、フレーム616を製造することが可能になり、その結果、通気孔のノイズが一定して低く、かつ流量が一定のフレーム616が提供される。
【００７９】
さらに、通気開口690は、フレーム616の本体627の全長に沿って設けられる。この配置により、通気経路の長さが増加し、それによって、通気開口690内の乱流が低減され、かつ通気開口690からより多くの層流が作られる。したがって、通気開口690から生成されるノイズが少なくなる。
【００８０】
ただし、フレーム616の本体627内の通気孔625は、呼気ガスを排出できるようにする他の任意の適切な構造を有していてもよい。例えば、本体627は、多孔質表面、メッシュ材料などを含んでもよい。
【００８１】
さらに、ノズルアセンブリおよび/またはそれに関連するクッションを、鼻マスクおよび/または鼻クッション501と置き換えることができる(例えば図55、図56および図57参照)。図55および図56は、フレーム516が、対向する開口または第1のコネクタ部分518(例えば、管状の延長部)を含み、そのそれぞれが上述したような封止リングを備える構成を示す。封止リングは、別個のまたは一体のプラグ500を含んで、フレームの1つの開口または第1のコネクタ部分を閉止するように構成されるとともに、別の封止リングは、フレームの他の開口/第1のコネクタ部分と係合し、かつ旋回エルボー506を受けるように構成される。当然ながら、エルボー506およびプラグ500の位置は、患者の好みに応じて変更(交換)されてもよい。図55では、鼻マスクは、ResMedのVISTAマスクに類似し、マスクフレーム516の側面に設けられたエルボー506を備える。図55のフレームのさらなる詳細および実施形態は、2003年3月19日出願の米国特許出願第10/391,440号明細書に開示されており、その全体を参照により本明細書に組み込む。図55の鼻クッション501は、使用中、患者の下部鼻梁、頬、および唇の領域を封止してそれに係合するような構造を持つ。図56では、鼻マスクは、ResMed Ltd.によりActiva(登録商標)の名称で市販されている患者インタフェースなど、使用中、患者の上部鼻梁、頬、および唇の領域を封止してそれに係合するような構造を持つ、ガセット部分を有する鼻クッション501を含む。図56のクッションのさらなる詳細および実施形態は、2003年9月5日出願の米国特許出願第10/655,622号明細書に開示されており、その全体を参照により本明細書に組み込む。図57では、エルボー506は、ResMedのVISTAマスクのように、マスクフレーム516の前面に設けられるとともに、開口/第1のコネクタ部分は両方ともプラグ付きの封止リングを備える。図57のエルボーのさらなる詳細および実施形態は、2003年3月19日出願の米国特許出願第10/390,826号明細書に開示されており、その全体を参照により本明細書に組み込む。当然ながら、各実施形態では、フレーム、エルボー、および/または封止リング(1つまたは複数)は、呼気ガスを呼吸チャンバから排出する適切な通気孔を備えていてもよい。
【００８２】
図58は、上述のノズルアセンブリ604が、本発明の別の実施形態によるヘッドギア702とともに使用される、別の構成を示す。図に示すように、ヘッドギア702は、患者の耳に巻き付く側部703と、患者の鼻の上に置かれる中間部分705とを提供する、眼鏡タイプの構成を有する。ヨーク708は、中間部分705から延び、ノズルアセンブリ604に設けられたコネクタ部分それぞれと係合するように構成されたヨークリング710を含む。クッションアセンブリ604の一端はプラグ622を備え、他端は旋回エルボー612を備える。旋回エルボー612およびプラグ622の位置は、患者の好みに応じて変更(交換)されてもよい。ヘッドギア702は、軽量かつ高さの低い断面形状の構成であり、ヘッドギア602に代わるものとして、ノズルアセンブリ604を患者の頭の上で支持するのに使用されてもよい。
【００８３】
現在最も実用的かつ好ましいと考えられる実施形態に関連して本発明を説明してきたが、本発明は開示した実施形態に限定されるものではなく、むしろ本発明の趣旨および範囲に含まれるさまざまな変更および同等の構成を包含するものであることを理解されたい。それに加えて本発明は、OSA患者に対する特定の応用例を有するものの、他の疾病(例えば、うっ血性心不全、糖尿病、病的肥満、脳卒中、肥満外科手術など)の患者が上述の教示から利益を得られることを理解されたい。さらに上述の教示は、患者および非患者の使用に対して同様の利用可能性を有する。
【図面の簡単な説明】
【００８４】
【図１】鼻用アセンブリのさらに別の実施形態の斜視図である。
【図２】図1に示す鼻用アセンブリの一部分を示す斜視図である。
【図３】本発明による鼻用アセンブリの一部分の断面図である。
【図４】本発明による通気開口の断面図である。
【図５】本発明による通気開口の断面図である。
【図６】図3の左側の部分拡大断面図である。
【図７】図3の右側の部分拡大断面図である。
【図８】本発明の一実施形態による、封止リングとエルボースイベルの接合面を示す分解組立斜視図である。
【図９】図1に示すマスクアセンブリの一部分の部分断面図である。
【図１０】一体のプラグおよび封止アセンブリを備えた本発明のさらに別の実施形態の図である。
【図１１】本発明の一実施形態による管保持具の図である。
【図１２】本発明の一実施形態による管保持具の図である。
【図１３】本発明の一実施形態による別の管保持具の図である。
【図１４】本発明の一実施形態による別の管保持具の図である。
【図１５】本発明の一実施形態による別の管保持具の図である。
【図１６】本発明の一実施形態による別の管保持具の図である。
【図１７】本発明の一実施形態による別の管保持具の図である。
【図１８】本発明の一実施形態による別の管保持具の図である。
【図１９】本発明のさらに別の実施形態の図である。
【図２０】本発明のさらに別の実施形態の図である。
【図２１】本発明のさらに別の実施形態の図である。
【図２２】本発明のさらに別の実施形態の図である。
【図２３】本発明のさらに別の実施形態の図である。
【図２４】本発明のさらに別の実施形態の図である。
【図２５】本発明のさらに別の実施形態の図である。
【図２６】本発明のさらに別の実施形態の図である。
【図２７】本発明のさらに別の実施形態の図である。
【図２８】本発明のさらに別の実施形態の図である。
【図２９】本発明のさらに別の実施形態の図である。
【図３０】本発明のさらに別の実施形態の図である。
【図３１】本発明のさらに別の実施形態の図である。
【図３２】本発明のさらに別の実施形態の図である。
【図３３】本発明のさらに別の実施形態の図である。
【図３４】本発明のさらに別の実施形態の図である。
【図３５】本発明のさらに別の実施形態の図である。
【図３６】本発明の一実施形態によるプラグの図である。
【図３７】本発明の一実施形態によるプラグの図である。
【図３８】本発明の一実施形態によるプラグの図である。
【図３９】本発明の一実施形態によるプラグの図である。
【図４０】本発明の一実施形態によるプラグの図である。
【図４１】本発明の一実施形態によるプラグの図である。
【図４２】本発明の一実施形態による通気孔の図である。
【図４３】本発明のさらなる実施形態による通気孔の図である。
【図４４】本発明のさらなる実施形態による通気孔の図である。
【図４５】本発明のさらなる実施形態による通気孔の図である(４５Ｂのみ従来技術の通気孔の図)。
【図４６】本発明の実施形態によるバッフルの図である。
【図４７】本発明の実施形態によるバッフルの図である。
【図４８】本発明の実施形態によるバッフルの図である。
【図４９】本発明の一実施形態によるさらに別の旋回エルボーの図である。
【図５０】本発明の一実施形態によるさらに別の旋回エルボーの図である。
【図５１】本発明の一実施形態によるさらに別の旋回エルボーの図である。
【図５２】本発明の一実施形態によるフレームの図である。
【図５３】本発明の一実施形態によるフレームの図である。
【図５４】本発明の一実施形態によるフレームの図である。
【図５５】本発明のさらなる代替実施形態の図である。
【図５６】本発明のさらなる代替実施形態の図である。
【図５７】本発明のさらなる代替実施形態の図である。
【図５８】本発明のさらなる代替実施形態の図である。
【符号の説明】
【００８５】
10  保持具
12  本体
14  タブ
16,18  表面
20  管
22  第1端部
24  第2端部
26  円筒状部分
28  肩部
30  リング状部分
32  開口
40  プラグ
42  第1端部
44  第2端部
46  通気孔
50  クッション
52  通気孔
56  第1端部
58  第2端部
60  中央部分
62  カウンタボア
70  バッフル
72,74  アーム
76  ベースプレート
78  開口
500  プラグ
501  鼻クッション
506  旋回エルボー
516  フレーム
518  第1のコネクタ部分
600  マスクアセンブリ
602  ヘッドギア
603  タブ
604  クッションアセンブリ
606  空気供給管
607  旋回コネクタ
608  ヨーク
609  端部
610  ヨークリング
612  旋回エルボー
613  溝穴
614  封止リング
614A  キャップ
616  フレーム
617  クッション
618  第1のコネクタ部分
619  通気開口
622  プラグ
624  第1の突起
625  通気孔
626  第2の突起
627  本体
628,630  溝
629  サイドフレーム部材
631,632  旋回止め
633  リング
634  突起
636  封止リング
638  フランジ部分
656  第1端部
658  第2端部
660  中央部分
690  通気開口
702  ヘッドギア
703  側部
705  中間部分
708  ヨーク
710  ヨークリング
900  管保持具
902  第1部分
904  ヘッドギアストラップ
906  ヘッドギアバックル
908  第2部分
910  間隙
912  両端部
914  溝穴
916  隆起
【図１】
2007532155.tif 000003
【図２】
2007532155.tif 000004
【図３】
2007532155.tif 000005
【図４】
2007532155.tif 000006
【図５】
2007532155.tif 000007
【図６】
2007532155.tif 000008
【図７】
2007532155.tif 000009
【図８】
2007532155.tif 000010
【図９】
2007532155.tif 000011
【図１０】
2007532155.tif 000012
【図１１】
2007532155.tif 000013
【図１２】
2007532155.tif 000014
【図１３】
2007532155.tif 000015
【図１４】
2007532155.tif 000016
【図１５】
2007532155.tif 000017
【図１６】
2007532155.tif 000018
【図１７】
2007532155.tif 000019
【図１８】
2007532155.tif 000020
【図１９】
2007532155.tif 000021
【図２０】
2007532155.tif 000022
【図２１】
2007532155.tif 000023
【図２２】
2007532155.tif 000024
【図２３】
2007532155.tif 000025
【図２４】
2007532155.tif 000026
【図２５】
2007532155.tif 000027
【図２６】
2007532155.tif 000028
【図２７】
2007532155.tif 000029
【図２８】
2007532155.tif 000030
【図２９】
2007532155.tif 000031
【図３０】
2007532155.tif 000032
【図３１】
2007532155.tif 000033
【図３２】
2007532155.tif 000034
【図３３】
2007532155.tif 000035
【図３４】
2007532155.tif 000036
【図３５】
2007532155.tif 000037
【図３６】
2007532155.tif 000038
【図３７】
2007532155.tif 000039
【図３８】
2007532155.tif 000040
【図３９】
2007532155.tif 000041
【図４０】
2007532155.tif 000042
【図４１】
2007532155.tif 000043
【図４２】
2007532155.tif 000044
【図４４】
2007532155.tif 000045
【図４５】
2007532155.tif 000046
【図４５】
2007532155.tif 000047
【図４６】
2007532155.tif 000048
【図４７】
2007532155.tif 000049
【図４８】
2007532155.tif 000050
【図４９】
2007532155.tif 000051
【図５０】
2007532155.tif 000052
【図５１】
2007532155.tif 000053
【図５２】
2007532155.tif 000054
【図５３】
2007532155.tif 000055
【図５４】
2007532155.tif 000056
【図５５】
2007532155.tif 000057
【図５６】
2007532155.tif 000058
【図５７】
2007532155.tif 000059
【図５８】
2007532155.tif 000060
【手続補正書】
【提出日】平成19年1月19日(2007.1.19)
【手続補正１】
【補正対象書類名】図面
【補正対象項目名】全図
【補正方法】変更
【補正の内容】
【図１】
2007532155.tif 000061
【図２】
2007532155.tif 000062
【図３】
2007532155.tif 000063
【図４】
2007532155.tif 000064
【図５】
2007532155.tif 000065
【図６】
2007532155.tif 000066
【図７】
2007532155.tif 000067
【図８】
2007532155.tif 000068
【図９】
2007532155.tif 000069
【図１０】
2007532155.tif 000070
【図１１】
2007532155.tif 000071
【図１２】
2007532155.tif 000072
【図１３】
2007532155.tif 000073
【図１４】
2007532155.tif 000074
【図１５】
2007532155.tif 000075
【図１６】
2007532155.tif 000076
【図１７】
2007532155.tif 000077
【図１８】
2007532155.tif 000078
【図１９】
2007532155.tif 000079
【図２０】
2007532155.tif 000080
【図２１】
2007532155.tif 000081
【図２２】
2007532155.tif 000082
【図２３】
2007532155.tif 000083
【図２４】
2007532155.tif 000084
【図２５】
2007532155.tif 000085
【図２６】
2007532155.tif 000086
【図２７】
2007532155.tif 000087
【図２８】
2007532155.tif 000088
【図２９】
2007532155.tif 000089
【図３０】
2007532155.tif 000090
【図３１】
2007532155.tif 000091
【図３２】
2007532155.tif 000092
【図３３】
2007532155.tif 000093
【図３４】
2007532155.tif 000094
【図３５】
2007532155.tif 000095
【図３６】
2007532155.tif 000096
【図３７】
2007532155.tif 000097
【図３８】
2007532155.tif 000098
【図３９】
2007532155.tif 000099
【図４０】
2007532155.tif 000100
【図４１】
2007532155.tif 000101
【図４２】
2007532155.tif 000102
【図４３】
2007532155.tif 000103
【図４４】
2007532155.tif 000104
【図４５】
2007532155.tif 000105
【図４６】
2007532155.tif 000106
【図４７】
2007532155.tif 000107
【図４８】
2007532155.tif 000108
【図４９】
2007532155.tif 000109
【図５０】
2007532155.tif 000110
【図５１】
2007532155.tif 000111
【図５２】
2007532155.tif 000112
【図５３】
2007532155.tif 000113
【図５４】
2007532155.tif 000114
【図５５】
2007532155.tif 000115
【図５６】
2007532155.tif 000116
【図５７】
2007532155.tif 000117
【図５８】
2007532155.tif 000118
【国際調査報告】
2007532155.tif 000119
2007532155.tif 000120
2007532155.tif 000121
2007532155.tif 000122